【事件の表示】
　特許第３４４９４８６号「電子スチルカメラ」の請求項１に係る特許に対する特許異議の申立てについて、次のとおり決定する。
【結　論】
　訂正を認める。
　特許第３４４９４８６号の請求項１に係る特許を維持する。
【理　由】
１．手続の経緯
　特許第３４４９４８６号の請求項１に係る発明は、平成３年７月３１日に特許出願され、平成１５年７月１１日にその特許権の設定登録がなされ、その後、有限会社オフィスアテナ（代表者藁科ひさ子）より特許異議の申立てがなされ、平成１７年５月１１日付けで取消しの理由が通知され、その指定期間内である平成１７年７月２５日に訂正請求がなされたものである。
　
２．訂正の適否についての判断
（１）訂正の内容
ア．訂正事項ａ
　特許請求の範囲の請求項１の記載について、「
　所定の記録媒体上の記録ブロツクごとに、映像信号に変換された静止画像を記録、再生する電子スチルカメラにおいて、
　
再生モードにするための再生スイツチと、上記記録媒体に記録、再生された履歴を記憶するデータメモリとを設け、
上記再生スイツチと操作して
上記データメモリに記憶された履歴に基づいて、
上記再生スイツチが操作されるまでに
イ．訂正事項ｂ
　明細書の段落番号【０００７】を、「
【０００７】
【課題を解決するための手段】
　かかる課題を解決するため本発明においては、　所定の記録媒体５０上の記録ブロツクＴＲ１，ＴＲ２，ＴＲ３……ごとに、映像信号に変換された静止画像を記録、再生する電子スチルカメラ１０において、
再生モードにするための再生スイツチ３４と、記録媒体５０に記録、再生された履歴を記憶するデータメモリ４１Ｃとを設け、
再生スイツチ３４を操作して
データメモリ４１Ｃに記憶された履歴に基づいて、
再生スイツチ３４が操作されるまでに
ウ．訂正事項ｃ
　明細書の段落番号【０００８】を、「
【０００８】
【作用】
　
記録媒体５０に記録された静止画像を再生スイツチ３４を操作して再生する際に、データメモリ４１Ｃに記憶された履歴に基づいて、記録媒体５０が装填されてから再生スイツチ３４が操作されるまでに再生された静止画像が消去されていたとき、当該消去された静止画像の後ろの最初の記録済ブロツクに記録されている静止画像を再生するようにしたことにより、ユーザは、記録媒体５０を装填してから再生スイツチ３４を操作するまでに行われた静止画像の再生、消去動作状態を基準にして再生したい記録ブロツクを容易に判断できる。
エ．訂正事項ｄ
　明細書の段落番号【００５１】を、「
【００５１】
【発明の効果】
　上述のように本発明によれば、
記録媒体に記録された静止画像を再生スイツチを操作して再生する際に、データメモリに記憶された履歴に基づいて、記録媒体が装填されてから再生スイツチが操作されるまでに再生された静止画像が消去されていたとき、当該消去された静止画像の後ろの最初の記録済ブロツクに記録されている静止画像を再生するようにしたことにより、ユーザは、記録媒体を装填してから再生スイツチを操作するまでに行われた静止画像の再生、消去動作状態を基準にして再生したい記録ブロツクを容易に判断できる。
　
（２）訂正の目的の適否、新規事項の有無及び拡張・変更の存否
　上記訂正事項ａは、特許請求の範囲の減縮を目的とした明細書の訂正に該当し、また、上記訂正事項ｂないしｄは、明りょうでない記載の釈明を目的とした明細書の訂正に該当し、いずれも、新規事項の追加に該当せず、実質的に特許請求の範囲を拡張又は変更するものではない。
　
（３）むすび
　したがって、上記訂正は、特許法第１２０条の４第３項で準用する平成６年法律第１１６号による改正前の特許法第１２６条第１項ただし書き、第２項及び第３項の規定に適合するので、当該訂正を認める。
　
３．特許異議申立てについての判断
（１）申立ての理由の概要
　申立人有限会社オフィスアテナ（代表者藁科ひさ子）は、請求項１に係る発明は、甲第１号証（特開昭６３−１５２２８４号公報）のものと同一であり、特許法第２９条第１項第３号の規定により特許を受けることができないものであり、甲第１号証、甲第２号証（特開昭６３−２８６０７７号公報）をもとに容易に発明をすることができたものであり、特許法第２９条第２項の規定により特許を受けることができないものであるから、特許を取り消すべきと主張している。
　
（２）本件の請求項１に係る発明
　上記２．で示したように上記訂正が認められるから、本件の請求項１に係る発明（以下、「本件発明」という。）は、上記訂正請求に係る訂正明細書の特許請求の範囲の請求項１に記載された事項（上記２（１）ア参照）により特定されるとおりのものである。
　
（３）刊行物
　取消理由に係る刊行物は、特許異議申立人が証拠として提示した以下の刊行物である。
刊行物１：特開昭６３−１５２２８４号公報（甲第１号証）
　これには、磁気シートに映像信号を記録する記録再生装置であって、連続的に消去を行う場合は、消去したらヘッドを１トラックずつ移動させ、一定時間だけ画像を再生する点、および消去実行時にあきトラックを飛ばしてもよいとする点が記載されている。
刊行物２：特開昭６３−２８６０７７号公報（甲第２号証）
　これには、順次表示されている画像に対して消去指令を与える点が記載されている。
　
（４）対比・判断
　本件発明と上記刊行物１及び２に記載の発明とを対比すると、両刊行物に記載の発明は、本件発明を特定する事項である、「データメモリに記憶された履歴に基づいて、再生スイツチ操作以前の再生履歴に応じて消去された静止画像の後ろの最初の記録済ブロツクに記録されている静止画像を再生する」事項を備えておらず、当該事項により本件請求項１に係る発明は、明細書記載の顕著な効果を奏するのであり、本件発明が上記刊行物１記載のものと同一とはいえないし、上記刊行物１及び２に記載のものから容易に発明をすることができたものともいえない。
　
（５）むすび
　以上のとおりであるから、特許異議申立ての理由及び証拠によっては、本件発明についての特許を取り消すことができない。
　また、他に本件発明の特許を取り消すべき理由を発見しない。
　したがって、本件発明についての特許は拒絶の査定をしなければならない特許出願に対してされたものと認めない。
　よって、結論のとおり決定する。
【異議決定日】
平成１７年８月１１日（２００５．８．１１）
【訂正の要旨】
審決（決定）の【理由】欄参照。
（５４）【発明の名称】
電子スチルカメラ
（５７）【特許請求の範囲】
　【請求項１】
　所定の記録媒体上の記録ブロツクごとに、映像信号に変換された静止画像を記録、再生する電子スチルカメラにおいて、
　
再生モードにするための再生スイツチと、上記記録媒体に記録、再生された履歴を記憶するデータメモリとを設け、
　上記電子スチルカメラに装填された上記記録媒体上に記録された上記静止画像を
上記再生スイツチを操作して
上記データメモリに記憶された履歴に基づいて、
上記再生スイツチが操作されるまでに
【発明の詳細な説明】
　【０００１】
　【目次】
　以下の順序で本発明を説明する。
産業上の利用分野
従来の技術
発明が解決しようとする課題
課題を解決するための手段（図５）
作用（図５）
実施例（図１〜図５）
発明の効果
　【０００２】
　【産業上の利用分野】
　本発明は電子スチルカメラに関し、例えば磁気デイスク上の同心円状に形成された記録トラツクに静止画を記録、再生するようになされた電子スチルカメラに適用して好適なものである。
　【０００３】
　【従来の技術】
　従来、電子スチルカメラにおいては、被写体を固体撮像素子（以下これをＣＣＤと呼ぶ）を介して撮像することによつて得られる静止画信号を磁気デイスク上に形成された同心円状の記録トラツクに記録するようになされたものがある。
　【０００４】
　【発明が解決しようとする課題】
　ところでこの種の電子スチルカメラにおいては、被写体を撮影して磁気デイスク上に記録する撮影モードに加えて磁気デイスク上に記録された静止画を再生する再生モードを設ければ、当該電子スチルカメラだけで撮影及び再生をすることができ、一段と使い勝手が良いと考えられる。
　【０００５】
　ところがこのような構成の電子スチルカメラにおいては、撮影モードにおいて例えば直前に撮影した画像を確認しようとする場合、又は再生モードにおいて装填した磁気デイスクに記録されている画像を初めて再生する場合、さらには不要画を消去した後に続く記録画を再生する場合等においてそれぞれサーチしようとする記録トラツクが異なることにより、ユーザはそれぞれの場合において所望の記録トラツクをサーチするといつた煩雑な操作が必要であつた。
　【０００６】
　本発明は以上の点を考慮してなされたもので、再生時において煩雑なサーチ操作を行うことなく、必要に応じた記録トラツクをサーチし得る電子スチルカメラを提案しようとするものである。
　【０００７】
　【課題を解決するための手段】
　かかる課題を解決するため本発明においては、所定の記録媒体５０上の記録ブロツクＴＲ１、ＴＲ２、ＴＲ３……ごとに、映像信号に変換された静止画像を記録、再生する電子スチルカメラ１０において、
再生モードにするための再生スイツチ３４と、記録媒体５０に記録、再生された履歴を記憶するデータメモリ４１Ｃとを設け、
再生スイツチ３４を操作して
データメモリ４１Ｃに記憶された履歴に基づいて、
再生スイツチ３４が操作されるまでに
　【０００８】
　【作用】
　
記録媒体５０に記録された静止画像を再生スイツチ３４を操作して再生する際に、データメモリ４１Ｃに記憶された履歴に基づいて、記録媒体５０が装填されてから再生スイツチ３４が操作されるまでに再生された静止画像が消去されていたとき、当該消去された静止画像の後ろの最初の記録済ブロツクに記録されている静止画像を再生するようにしたことにより、ユーザは、記録媒体５０を装填してから再生スイツチ３４を操作するまでに行われた静止画像の再生、消去動作状態を基準にして再生したい記録ブロツクを容易に判断できる。
　【０００９】
　【実施例】
　以下図面について、本発明の一実施例を詳述する。
　【００１０】
　（１）全体構成図１において１０は全体として電子スチルカメラを示し、レンズ１２Ａとメカニズムコントローラ４２からの制御信号Ｓ１１によつて制御される絞り部１２Ｂとでなる光学系１２を介して得られる撮像光をミラー部１３の反射ミラー１３Ａにおいて反射することにより当該撮像光をフアインダ１５に入射し、これにより撮影者は当該フアインダにおいて光学系１２を介して得られる被写体像を目視し得るようになされている。
　【００１１】
　またフアインダ１５にはＳＰＤ受光素子１６が設けられており、反射ミラー１３Ａを介してフアインダ１５に入射した撮像光の光量を検出すると共に、当該検出結果に基づいて検出信号Ｓ１６をモードコントローラ４１に送出する。
　【００１２】
　モードコントローラ４１はＳＰＤ受光素子１６において検出された撮像光の光量に基づいて露出値を算出し、このときのモード状態に応じた制御信号ＣＯＮＴをメカニズムコントローラ４２及びＬＣＤ表示部４３に送出することにより、絞り１２Ｂ、シヤツタ２０をそれぞれ制御すると共にＬＣＤ表示部４３に必要な情報を表示するようになされている。
　【００１３】
　またミラー部１３には、メカニズムコントローラ４２からの制御信号Ｓ１１に基づいて反射ミラー１３Ａを駆動するようになされたミラー駆動部１３Ｂが設けられており、撮影者がレリーズスイツチ３１を操作した際にこれに応動して反射ミラー１３Ａを跳上げることにより、光学系１２を介して得られる撮像光が続くシヤツタ２０に入射される。
　【００１４】
　シヤツタ２０はメカニズムコントローラ４２からの制御信号Ｓ１１に基づいて動作するようになされており、撮影者がレリーズスイツチ３１を操作した際に、このときモードコントローラ４１において設定されているシヤツタスピード値に基づいて動作し、所定時間だけ撮像光を続くダイクロイツクプリズム２３に入射する。
　【００１５】
　ダイクロイツクプリズム２３は入射した撮像光を赤色成分、緑色成分及び青色成分に分離し、それぞれ第１のＣＣＤ２２Ｒ、第２のＣＣＤ２２Ｇ及び第３のＣＣＤ２２Ｂに入射する。
　【００１６】
　第１のＣＣＤ２２Ｒはダイクロイツクプリズム２３から得られる撮像光の赤色成分を撮像することにより撮像信号Ｓ１を得、これを続くカメラ回路部２５に送出する。
　【００１７】
　また第２のＣＣＤ２２Ｇはダイクロイツクプリズム２３から得られる撮像光の緑色成分を撮像することにより撮像信号Ｓ２を得、これを続くカメラ回路部２５に送出する。
　【００１８】
　また第３のＣＣＤ２２Ｂはダイクロイツクプリズム２３から得られる撮像光の青色成分を撮像することにより撮像信号Ｓ２を得、これに続くカメラ回路部２５に送出する。
　【００１９】
　カメラ回路部２５は、モードコントローラ４１からの制御信号ＣＯＮＴに基づいて動作するようになされており、第１、第２及び第３のＣＣＤ２２Ｒ、２２Ｇ及び２２Ｂから得られる撮像信号Ｓ１、Ｓ２、Ｓ３及び、ホワイトバランス検出部２４から得られるホワイトバランス検出信号Ｓ４に基づいて色信号Ｓ５を得、これを続くビデオ回路部２６に送出する。
　【００２０】
　ビデオ回路部２６はモードコントローラ４１からの制御信号ＣＯＮＴに基づいて動作するようになされており、色信号Ｓ５から輝度信号及びクロマ信号を生成し、これに基づいて得られるビテオ信号Ｓ６を磁気デイスク駆動部４５の記録／再生回路部４７に送出する。
　【００２１】
　磁気デイスク駆動部４５は、撮影者がレリーズスイツチ３１を操作した際にモードコントローラ４１から出力される制御信号ＣＯＮＴに基づいてコントローラ４６から記録／再生回路部４７を制御する制御信号Ｓ１１を送出すると共に、サーボ信号Ｓ１２をサーボ回路４８に送出する。
　【００２２】
　これにより記録／再生回路部４７は入力されたビデオ信号Ｓ６を記録信号に変調し、これを磁気ヘツド５１Ａ及び又は５１Ｂに送出することにより、磁気デイスク５０の所定記録トラツクに被写体像を静止画像として記録するようになされている。
　【００２３】
　またこれに対して磁気デイスク駆動部４５は、再生スイツチ３４が操作されて当該電子スチルカメラ１０が再生モード状態となつた際にモードコントローラ４１から出力される制御信号ＣＯＮＴに基づいて記録／再生回路部４７が再生状態に切り換えられ、磁気ヘツド５１Ａ及び又は５１Ｂを介して磁気デイスク上から得られる再生信号を復調することによりビデオ信号Ｓ１０を得、これをビデオ回路部２６及び出力アダプタ２７を介して出力するようになされている。
　【００２４】
　さらにモードコントローラ４１には、各種モードを設定するようになされたモード設定用ダイアル３９、各種設定値を選択するようになされたシフトダイアル３８及びシフトスイツチ３２が接続されており、モード設定用ダイアル３９が指示している選択項目の詳細について、シフトスイツチ３２を押しながらシフトダイアル３８を回すことにより選択し得るようになされている。
　【００２５】
　例えばモード設定用ダイアル３９がＡＥ（自動露出）モード設定項目を指示している際にシフトスイツチ３２を押しながらシフトダイアル３８を回すと、これに応じてプログラムモード、絞り優先モード、シヤツタスピード優先モード又はマニユアルモードに設定することができる。
　【００２６】
　またシフトスイツチ３２を押さない状態でシフトダイアル３８を回すことにより、このとき当該電子スチルカメラ１０が設定されているモードに応じた項目を選択し得るようになされている。
　【００２７】
　例えばシヤツタスピード優先モードに設定されている際には、シフトスイツチ３２を押さずにシフトダイアルを回すと、シヤツタスピードを変更することができる。
　【００２８】
　さらにモードコントローラ４１には、ＬＣＤ表示部４３のセグメント表示を切り換えるようになされたセレクトスイツチ３３及びＩＤ１１／カレンダ切換スイツチ３５等が接続され、撮影者の使用目的に応じて当該電子スチルカメラ１０を種々の状態に制御し得るようになされている。
　【００２９】
　またモードコントローラ４１には電源電圧検出回路５３及びバツテリタイプ検出部５４が設けられており、当該電子スチルカメラ１０に装着されたバツテリの電圧値を検出すると共に、当該バツテリの種別に応じて検出電圧値が所定の電圧値まで降下した際に、所定の警告表示をＬＣＤ（液晶）表示部４３及びフアインダ表示部１７において表示するようになされている。
　【００３０】
　ここでＬＣＤ表示部４３は図２に示すように、ＡＥ設定モードを表示するＡＥ表示部４３Ａ、撮影感度設定を表示する感度設定表示領域４３Ｂ、撮影動作モードを表示する撮影動作表示部４３Ｃ、ホワイトバランスの設定状態を表示するホワイトバランス設定表示部４３Ｄ、撮影した静止画像をそのままモニタ表示する際のビデオ出力表示部４３Ｅ、音声を同時に記録する際の音声記録表示部４３Ｆ、再生モードを表す再生表示部４３Ｇ、シヤツタスピード、絞り値、時間等の種々のデータをセグメント表示するデータ表示部４３Ｉ、データ表示部４３Ｉに表示されている値の規格を表す規格表示部４３Ｈ、データ表示部４３Ｉに表示されている時間が午前であるか又は午後であるかを表す時間判別表示部４３Ｊ、露出値を補正した際の補正表示部４３Ｋ、現在撮影シヨツト数又は現在トラツクを表示するデータ表示部４３Ｍ、データ表示部４３Ｍに表示されているデータの種別を表すデータ判別表示部４３Ｌ、記録方法がフレーム記録であるか又はフイールド記録であるかを示す記録モード表示部４３Ｎ、磁気デイスク上に空トラツクを作成する際の空トラツク作成表示部４３Ｐ、音声用トラツクを予め作成しておく際の予約表示部４３Ｑ、バツテリの状態を表示するバツテリ警告表示部４３Ｒ、結露表示部４３Ｓがそれぞれ必要に応じて表示されるようになされている。
　【００３１】
　（２）再生アクセス処理図３は本発明による電子スチルカメラ１０に用いる記録媒体としての磁気デイスク５０を示し、デイスク上において外周側から内周側にかけて同心円状に５２本の記録トラツクＴＲ１、ＴＲ２、ＴＲ３、……、ＴＲ５２が順次形成されている。
　【００３２】
　この５２本の記録トラツクのうち、第１〜第５０の記録トラツクＴＲ１〜ＴＲ５０をメイントラツクとして、第１の記録トラツクＴＲ１から順次各トラツクごとに画像、音声等のデータが記録される。
　【００３３】
　また第５２の記録トラツクは、キユー専用トラツクとしてメイントラツクに記録されている画像の管理情報を記録するようになされている。
　【００３４】
　ここでモードコントローラ４１（図１）は図４に示すように、入出力部４１Ａ、ＣＰＵ４１Ｂ、磁気デイスク５０を装填してから取り出すまでの間に当該磁気デイスク５０に記録、再生された履歴を記憶するデータメモリ４１Ｃ及び再生時の記録トラツクのサーチ方法を記憶したプログラムメモリ４１Ｄによつて構成され、ユーザによつて再生スイツチ（ＰＬＡＹ　ＳＷ）３４が操作されると、当該電子スチルカメラ１０のそれまでの使用状態に応じた記録トラツクのサーチ動作を実行するようになされている。
　【００３５】
　すなわちモードコントローラ４１は図５に示す再生アクセス処理ＲＴ４０を実行し、ステツプＳＰ４１において再生スイツチ３４が押されたか否かを判断する。
　【００３６】
　ここで肯定結果が得られると、このことはユーザが再生スイツチ３４をオン操作したことをあらわしており、このときモードコントローラ４１は続くステツプＳＰ４２に移つて、パツク（すなわち磁気デイスク５０）が装填されてから当該時点までの間に撮影をしたか否かを判断する。
　【００３７】
　すなわちモードコントローラ４１は、磁気デイスク５０を電子スチルカメラ１０に装填した後撮影が実行されると、このことをデータメモリ４１Ｃに格納し、これを当該磁気デイスク５０が取り出されるまで記憶しておくようになされている。
　【００３８】
　従つて撮影が実行された場合には、モードコントローラ４１は当該電子スチルカメラ１０が撮影モード状態にあると判断し、ステツプＳＰ４２において肯定結果を得、続くステツプＳＰ４７に移つて当該処理時点以前に撮影された画像のうち、当該処理時点に最も近い時点における撮影画像が記録された記録トラツクをサーチすると共にこれを再生し、ステツプＳＰ４９において当該再生アクセス処理を終了する。
　【００３９】
　従つてユーザは当該電子スチルカメラ１０を使つて撮影している際、直前に撮影した画像を確認する場合において再生スイツチ３４をオン操作するだけでこれを再生することができる。
　【００４０】
　これに対してステツプＳＰ４２において否定結果が得られると、このことは磁気デイスク５０を当該電子スチルカメラ１０に装填してから一度も撮影されていない状態で再生スイツチ３４がオン操作された（すなわち電子スチルカメラ１０が再生モード状態にある）ことを表しており、このときモードコントローラ４１は続くステツプＳＰ４３に移つて磁気デイスク５０が装填されてから一度でも再生したことがあるか否かを判断する。
　【００４１】
　ここで否定結果が得られると、このことは磁気デイスク５０が装填されてから一度も再生されていないことを表しており、このときモードコントローラ４１は続くステツプＳＰ４８において最外周から内周側を見て最初の記録済トラツクを再生した後、ステツプＳＰ４９において当該再生アクセス処理を終了する。
　【００４２】
　これに対してステツプＳＰ４３において肯定結果が得られると、このことは磁気デイスク５０が装填されてから一度でも再生されたことがあることを表しており、このときモードコントローラ４１は続くステツプＳＰ４４に移つて再生した画像を消去したか否かを判断する。
　【００４３】
　ここで否定結果が得られると、このことは再生モードが中断されている状態であることを表しており、このときモードコントローラ４１はステツプＳＰ４６において当該処理時点以前に再生していた記録トラツクをサーチして再生することにより、ユーザは再生を中断した画像を再び再生することができる。
　【００４４】
　これに対してステツプＳＰ４４において肯定結果が得られると、このことは磁気デイスク５０が装填されてから再生された画像が消去されたことを表しており、このときモードコントローラ４１はステツプＳＰ４５において、消去した記録トラツクから見て内周側の最初の記録済トラツクの画像を再生した後、ステツプＳＰ４９において当該再生アクセス処理を終了する。
　【００４５】
　従つてユーザは不要画像を消去する際、外周側から内周側にかけて順次記録画像を確認しながら不要画像を消去して行くことができる。
　【００４６】
　以上の構成において、電子スチルカメラ１０はユーザが再生スイツチ３４をオン操作したとき、それまでの動作状態からユーザが再生しようとする記録トラツクを判断し再生する。
　【００４７】
　例えば撮影モードにおいては再生スイツチ３４をオン操作するだけで直前に撮影した画像を再生することができ、再生モードにおいては一度でもその内容を再生したか否かによつて必要とする記録トラツクを判断し、これによりユーザが必要とする画像を判断してこれを再生することができる。
　【００４８】
　従つてユーザは再生スイツチ３４をオン操作するごとに記録トラツクを指定するという煩雑な操作を行うことなく所望とする再生画像を得ることができる。
　【００４９】
　以上の構成によれば、再生スイツチ３４をオン操作するだけの簡単な操作で必要とする再生画像をサーチして再生するようにしたことにより、電子スチルカメラ１０の使い勝手を一段と向上することができる。
　【００５０】
　なお上述の実施例においては、記録媒体として磁気デイスク５０を用いた場合について述べたが、本発明はこれに限らず、例えば直線的に記録するようになされた磁気ストライプを有する磁気カード、ＩＣメモリ等、種々の記録媒体を用いる場合に広く適用することができる。
　【００５１】
　【発明の効果】
　上述のように本発明によれば、
記録媒体に記録された静止画像を再生スイツチを操作して再生する際に、データメモリに記憶された履歴に基づいて、記録媒体が装填されてから再生スイツチが操作されるまでに再生された静止画像が消去されていたとき、当該消去された静止画像の後ろの最初の記録済ブロツクに記録されている静止画像を再生するようにしたことにより、ユーザは、記録媒体を装填してから再生スイツチを操作するまでに行われた静止画像の再生、消去動作状態を基準にして再生したい記録ブロツクを容易に判断できる。
【図面の簡単な説明】
　【図１】
　本発明による電子スチルカメラの一実施例を示すブロツク図である。
　【図２】
　ＬＣＤ表示部を示す略線図である。
　【図３】
　記録トラツクの構成を示す略線図である。
　【図４】
　モードコントローラの構成を示す略線図である。
　【図５】
　再生アクセス処理手順を示すフローチヤートである。
　【符号の説明】
　１０……電子スチルカメラ、１２……光学系、１３……ミラー部、１５……フアインダ、２０……シヤツタ、２３……ダイクロイツクプリズム、２２Ｒ、２２Ｇ、２２Ｂ……固体撮像素子、３８……シフトダイアル、４１……モードコントローラ、４２……メカニズムコントローラ、４３……ＬＣＤ表示部、４５……磁気デイスク駆動部、５０……磁気デイスク。